(57)【要約】検知機器（２４）は、検知機器がその中で浮遊する水の特性を検知するように構成される１つまたはそれ以上のセンサ（２６，２８，４６，４８）を含む。無線通信インタフェース（４２）が１つまたはそれ以上のセンサの出力を示す信号を送信するように接続される。エネルギー貯蔵装置（５８）が１つまたはそれ以上のセンサと無線通信インタフェースに電気的エネルギーを提供するように接続される。密閉容器（２５）が、１つまたはそれ以上のセンサ、無線通信インタフェースおよびエネルギー貯蔵装置を内蔵し、そしてそれは水の中を浮遊するのに十分な浮力を有する。【選択図】図１
2018506108.tif 000002
【特許請求の範囲】
【請求項１】
検知機器であって、
前記検知機器がその中で浮遊する水の特性を検知するように構成される１つまたはそれ以上のセンサと；
前記１つまたはそれ以上のセンサの出力を示す信号を送信するように接続される無線通信インタフェースと；
前記１つまたはそれ以上のセンサと前記無線通信インタフェースに電気的エネルギーを提供するように接続されるエネルギー貯蔵装置と；
前記１つまたはそれ以上のセンサ、前記無線通信インタフェースおよび前記エネルギー貯蔵装置を内蔵し、そして前記水の中を浮遊するのに十分な浮力を有する密閉容器と；
を有することを特徴とする、検知機器。
【請求項２】
前記１つまたはそれ以上のセンサは画像センサを有する、ことを特徴とする請求項１に記載の機器。
【請求項３】
前記１つまたはそれ以上のセンサの前記出力は前記水の品質を示す、ことを特徴とする請求項１に記載の機器。
【請求項４】
少なくとも１つの前記センサは加速度計を有する、ことを特徴とする請求項１に記載の機器。
【請求項５】
少なくとも１つの前記センサは音響センサを有する、ことを特徴とする請求項１に記載の機器。
【請求項６】
前記無線通信インタフェースは、短距離無線通信（ＲＦ）プロトコルを使用して前記信号を受信機に無線で送信するように構成される、ことを特徴とする請求項１−５のいずれかに記載の機器。
【請求項７】
前記無線通信インタフェースにより送信された前記信号は、データパケットを有し、そして前記受信機は無線通信網アクセスポイントを有し、前記無線通信網アクセスポイントは、前記出力の分析のため、ネットワークを介して前記データパケットをサーバに送信する、ことを特徴とする請求項６に記載の機器。
【請求項８】
前記機器は、前記容器を水槽に繋ぐことなく、自由に前記水槽内を浮遊するように構成される、ことを特徴とする請求項１−５のいずれかに記載の機器。
【請求項９】
水槽内の水を監視する方法であって、
前記水槽内に浮遊型検知装置を配置するステップと、
前記検知装置は前記検知装置がその中で浮遊する水の特性を検知し、そして検知された前記特性を示すデータを無線受信機に無線で送信するように構成され；
公共通信網を介して前記無線受信機から前記データを受信するステップと；
前記水の特性を分析するため、前記受信したデータを処理するステップと；そして
前記特性が所定の正常範囲を逸脱する場合、警報を発するステップと；
を有することを特徴とする方法。
【請求項１０】
前記水槽は養魚水槽を有し、そして前記警報を発するステップは、前記養魚水槽のオペレータに前記養魚水槽の魚に害のある水の状態を通知するステップを有する、ことを特徴とする請求項９に記載の方法。
【請求項１１】
前記データを受信するステップは、前記検知装置により獲得された１つまたはそれ以上の画像を受信するステップを有する、ことを特徴とする請求項１０に記載の方法。
【請求項１２】
前記水槽は飲料水を内蔵し、そして前記警報を発するステップは前記水槽のオペレータに、飲料水としての適合性に害のある前記水の状態を通知するステップを有する、ことを特徴とする請求項９に記載の方法。
【請求項１３】
前記データを受信するステップは、地理的領域に亘って分散された異なるそれぞれの位置の水槽に配置された多重の検知装置からの入力を受信するステップを有し、そして前記方法は、前記地理的領域に亘って広がる巨視的現象を検知するため、前記受信した入力を分析するステップを有する、ことを特徴とする請求項９−１２のいずれかに記載の方法。
【請求項１４】
前記検知装置は、前記水の中の波を検知するように構成され、そして前記受信した入力を分析するステップは、検知された前記波に応答して地震現象を検知するステップを有する、ことを特徴とする請求項１３に記載の方法。
【請求項１５】
前記受信した入力を分析するステップは、受信した前記入力に応答して気象現象を検知するステップを有する、ことを特徴とする請求項１３に記載の方法。
【請求項１６】
監視システムであって、
多重の浮遊型検知装置によるデータ出力を、公共通信網を介して受信するように構成されるネットワークインタフェースと、
前記検知装置は、地理的領域に亘って分散された異なるそれぞれの位置の水槽に配置され、そして前記検知装置がその中で浮遊する水の特性を検知するように構成され、；そして
前記地理的領域に亘って広がる巨視的現象を検知するため、受信した前記データを処理するように構成される、プロセッサと；
を有する、ことを特徴とする監視システム。
【請求項１７】
前記プロセッサは、前記巨視的現象に関する特性が既定の正常範囲を逸脱した場合、警報を発するように構成される、ことを特徴とする請求項１６に記載のシステム。
【請求項１８】
前記検知装置は水中の波を検知するように構成され、そして前記プロセッサは検知された前記波に応答して地震現象を検知するように構成される、ことを特徴とする請求項１６または１７に記載のシステム。
【請求項１９】
前記検知装置は受信した前記データに応答して気象現象を検知するように構成される、ことを特徴とする請求項１６または１７に記載のシステム。
【発明の詳細な説明】
【技術分野】
【０００１】
本発明は、一般的に流体の特性の検知および監視に関し、特に水槽内の水の監視のためのセンサ、システムおよび方法に関するものである。
【背景技術】
【０００２】
（関連出願の相互参照）
本出願は２０１５年１月５日出願の米国暫定出願６２／０９９，６０４の恩恵を主張し、また本出願は、２０１４年５月１３日出願の米国暫定出願６１／９９２，２３６の恩恵を主張する２０１５年４月２８日出願のＰＣＴ出願ＰＣＴ／ＩＢ２０１５／０５３０８１の部分継続出願である。これらすべての関連出願はここに参照して採り入れられる。
【０００３】
養魚水槽の愛好家達は、彼らの水槽を導入し、維持し、そして水槽に魚、サンゴ、植物や装飾で満たすために多くのお金、時間と労力を費やす。そのような水槽は、一般的に温度を一定に維持するためのヒーターや冷却装置、水質を維持するためのポンプおよびフィルタ、そして照明および植物の成長のための光を有している。注意深い養魚水槽オペレータは、温度、ｐＨおよびアンモニア濃度などの水質パラメータを、それらが最適な範囲内であることを保証するために定期的にチェックし、そうでない場合は是正処置をとる。しかし、あまりにも頻繁に、機器の故障やオペレータの短時間の不注意が水質の急激な悪化をもたらし、それは養魚水槽内の魚や他の生物に壊滅的な影響を伴う。
【０００４】
このような問題に対応して、多くのベンダーが養魚水槽の自動化監視対策をオファーしている。例えば、Ｓｅｎｅｙｅ株式会社（Ｎｏｒｗｉｃｈ，ノーフォーク州、ＵＫ）は、温度、水位、ｐＨ、アンモニア及び他のパラメータを監視する魚の水槽および池用の電子機器をオファーしている。その機器はインターネット経由でサーバに接続することもでき、それによりユーザが携帯電話のアプリを使用して結果を見ることを可能にし、またＳＭＳや電子メールによる警告を提供する。
【０００５】
別の例として、中国実用新案ＣＮ２０３１０１３７２Ｕは、魚水槽用水質監視システムについて記載している。システムは、溶存酸素検出モジュール、ｐＨ値検出モジュール、塩素イオン検出モジュール、温度検出モジュール、ＡＤ（アナログ／デジタル）サンプリングモジュール、電源モジュール、表示モジュール及び警報モジュールを有し、それらすべてはコントローラモジュールに接続されている。システムは、主に魚水槽内の変化をリアルタイムで監視するために使用されている。
【先行技術文献】
【特許文献】
【０００６】
【特許文献１】米国暫定出願６２／０９９，６０４
【特許文献２】ＰＣＴ出願ＰＣＴ／ＩＢ２０１５／０５３０８１
【特許文献３】米国暫定出願６１／９９２，２３６
【特許文献４】中国実用新案ＣＮ２０３１０１３７２Ｕ
【発明の概要】
【０００７】
以下に記載される本発明の実施形態は、養魚水槽などの水槽に蓄えられる水に関する情報を収集し、処理し、そして提供する新規の機器、方法およびシステムを提供する。
【０００８】
したがって、本発明の１つの実施形態によれば、検知機器がその中で浮遊する水の特性を検知するように構成される１つまたはそれ以上のセンサを有する検知機器が提供される。無線通信インタフェースが１つまたはそれ以上のセンサの出力を示す信号を送信するように接続される。エネルギー貯蔵装置が１つまたはそれ以上のセンサと前記無線通信インタフェースに電気的エネルギーを提供するように接続される。密閉容器は１つまたはそれ以上のセンサ、無線通信インタフェースおよびエネルギー貯蔵装置を内蔵し、そして水の中を浮遊するのに十分な浮力を有する。
【０００９】
１つの開示された実施形態では、１つまたはそれ以上のセンサは画像センサを有する。追加的にまたは代替的に、１つまたはそれ以上のセンサの出力は水の品質を示す。さらに追加的にまたは代替的に、少なくとも１つのセンサは加速度計および／または音響センサを有する。
【００１０】
いくつかの実施形態では、無線通信インタフェースは、短距離無線通信（ＲＦ）プロトコルを使用して信号を受信機に無線で送信するように構成される。１つの実施形態では、無線通信インタフェースにより送信された信号は、データパケットを有し、そして受信機は無線通信網アクセスポイントを有し、無線通信網アクセスポイントは、出力の分析のため、ネットワークを介してデータパケットをサーバに送信する。
【００１１】
典型的に、機器は、容器を水槽に繋ぐことなく、自由に水槽内を浮遊するように構成される。
【００１２】
本発明の１つの実施形態によればまた、水槽内の水を監視する方法が提供される。方法は、水槽内に浮遊型検知装置を配置するステップを有し、ここで検知装置は検知装置がその中で浮遊する水の特性を検知し、そして検知された特性を示すデータを無線受信機に無線で送信するように構成される。データは公共通信網を介して無線受信機から受信され、そして水の特性を分析するため処理される。特性が所定の正常範囲を逸脱する場合、警報が発せられる。  
【００１３】
いくつかの実施形態では、水槽は養魚水槽を有し、そして警報を発するステップは、養魚水槽のオペレータに養魚水槽の魚に害のある水の状態を通知するステップを有する。開示された１つの実施形態では、データを受信するステップは、検知装置により獲得された１つまたはそれ以上の画像を受信するステップを有する。
【００１４】
代替的に、水槽は飲料水を内蔵し、そして警報を発するステップは水槽のオペレータに、飲料水としての適合性に害のある水の状態を通知するステップを有する。
【００１５】
いくつかの実施形態では、データを受信するステップは、地理的領域に亘って分散された異なるそれぞれの位置の水槽に配置された多重の検知装置からの入力を受信するステップを有し、そして方法は、地理的領域に亘って広がる巨視的現象を検知するため、受信した入力を分析するステップを有する。開示された１つの実施形態では、検知装置は、水の中の波を検知するように構成され、そして受信した入力を分析するステップは、検知された波に応答して地震現象を検知するステップを有する。追加的にまたは代替的に、受信した入力を分析するステップは、受信した入力に応答して気象現象を検知するステップを有する。
【００１６】
本発明の１つの実施形態によればさらに、監視システムであって、多重の浮遊型検知装置によるデータ出力を、公共通信網を介して受信するように構成されるネットワークインタフェースを有し、検知装置は、地理的領域に亘って分散された異なるそれぞれの位置の水槽に配置され、そして検知装置はその中で浮遊する水の特性を検知するように構成される監視システムが提供される。プロセッサは地理的領域に亘って広がる巨視的現象を検知するため、受信したデータを処理するように構成される。
【図面の簡単な説明】
【００１７】
本発明は以下の図面とともに記載される以下の実施形態の詳細な説明により、さらに十分に理解されよう：
【図１】本発明の１実施形態に基づく、養魚水槽において水質を監視するシステムの絵画的概略図である。
【図２】本発明の１実施形態に基づく、水質検知機器の機能的構成要素を概略示すブロック図である。
【図３】本発明の１実施形態に基づく、電子的データ収集と処理のためのシステムの絵画的概略図である。
【発明を実施するための形態】
【００１８】
上述のＰＣＴ特許出願ＰＣＴ／ＩＢ２０１５／０５３０８１（特許文献２）は、釣り糸の遠位端に取り付けられ、近傍の魚の有無ならびに他の水質要因に関する信号を送信することができる浸漬可能な検出装置を記載している。（検知装置は、水域に部分的に浸漬しながら動作するという意味で「浸漬可能」である。）これらの信号は、例えば、釣り人の釣りの経験を強化し、また釣り人のネットワークを介して情報を共有するために処理することができる。
【００１９】
本明細書に記載された本発明の実施形態は、上述のＰＣＴ特許出願に記載されている種類の感知装置およびシステムの原理を、養魚水槽や飲料水のための水槽などの閉鎖された水槽の監視にまで拡張する。開示された実施形態は、水中に浮遊するのに十分な浮力を有する密閉容器に収容された１つまたはそれ以上のセンサを備える、感知装置を使用する。センサは、感知装置がその中で浮遊する、水の特性を検知し、同様に密閉された容器に含まれる無線通信インタフェースは、センサ出力を示す信号を送信する。容器はまた、センサおよび通信インタフェースに電気エネルギーを提供する一次電池または再充電可能電池などのエネルギー貯蔵装置を含む。
【００２０】
無線通信インタフェースは、（必ずしもそうである必要はないはないが）通常は無線通信網アクセスポイントに送信されるデータパケットの形式で、無線受信機に信号を無線で送信する。アクセスポイントまたは他の受信機は、公共通信網を介してサーバにデータを送信し、サーバは水の特性を分析するために受信したデータを処理し、そしてその特性が所定の正常範囲から逸脱したときに警告を発する。水槽が養魚水槽を含む実施形態では、例えば、警報は、養魚水槽内の魚に有害な水の状態をオペレータに通知することができる。あるいは、水槽が飲料水を含む場合、警報は水槽のオペレータに水の飲料としての適合性の劣化を通知することができる。
【００２１】
本発明のいくつかの実施形態は、データ収集および検知ネットワークを構築するために、異なるユーザによる、地理的領域にわたって分散された異なるそれぞれの場所の水槽内の、複数の検知装置の配備を利用する。サーバは、インターネットなどの広域ネットワークを介して、検知装置からデータを収集する。複数の場所の検知装置から受信した入力を照合することにより、サーバは、例えば、環境モニタリング、研究および保護、ならびに気象監視および予測に適用するために、地理的領域にまたがる巨視的現象を検知することができる。このような監視はリアルタイムまたはオフラインで行うことができる。
【００２２】
付加的または代替的に、（例えば、慣性または音響検知によって）検知装置が水中の波を感知するように構成されている場合、サーバは、地震現象を検出するために分散された検知装置から受信した入力を分析し、そしておそらく地震と津波の早期警告を提供することができる可能性がある。
【００２３】
図１は、本発明の一実施形態に基づく、養魚水槽２２内の水質を監視するためのシステム２０の絵画的概略図である。（前述したように、同様のシステムは、住居や他の建物に役務を提供する飲料水用の水槽のような、他の種類の水槽の監視に使用されてもよい。）
【００２４】
システム２０は、浮遊型検知装置２４の周りに構築され、養魚水槽２２内の水中に浮遊するのに十分な浮力を有する密封容器２５を有する。容器は、典型的には適切な成形プラスチック材料から構成されるが、代替的に不活性金属、または他の適切な種類の防水シェルから構成されてもよい。外装または「スキン」（図示せず）が、美的目的のため、例えば検知装置２４に浮遊水生植物または他の装飾品の外観を与えるために、容器２５の上に取り付けられてもよい。図１の容器２５は、特定の幾何学的形状を有しているが、当業者には明らかなように、他の適切な形状を有していてもよい。典型的には、浮遊型検知装置２４は、養魚水槽２２内を自由に浮遊するように構成されており、容器２５が養魚水槽の水槽に縛られ、または、機械的または電気的に外部接続される必要はない。
【００２５】
容器２５は、１つまたは複数のセンサ２６，２８と、無線通信インタフェースおよびエネルギー貯蔵装置（図２に示す）とを含む。センサ２６，２８は、検知装置２４がその中を浮遊する水の特性を感知し、水質を示す出力を提供する。図示の実施形態では、センサ２６は水面下の画像を捕捉する、適切な光学系（図示せず）を有する画像センサであり、一方センサ２８は他のタイプの水質センサを含む。追加的または代替的に、検知装置２４は、アプリケーション要件に応じて、容器２５内の音響および／または慣性センサ、ならびに他の適切なタイプのセンサを含むことができる。画像センサ２６は、養魚水槽２２内の魚の活動（または非活動）を検出するのに有用であり、濁度のような水の特性を測定する際にも使用することができるが、代替の実施形態（図示せず）では、検知装置２４は画像センサを有しない。
【００２６】
検知装置２４は、無線通信インタフェース（以下の図に示す）を含み、無線通信インタフェースは、無線ネットワークアクセスポイントのような無線受信機３０に無線で信号を送信する。これらの信号は、センサ２６，２８等の出力を示し、典型的には、画像センサ２６からのデジタル静止画またはビデオ出力、および／またはセンサ２８からの遠隔測定値を含む。無線リンクは、検知装置２４への制御入力、構成および指示を運んでもよい。検知装置２４および受信機３０は、通常、Ｗｉ−Ｆｉ（ＩＥＥＥ８０２．１１）またはＢｌｕｅｔｏｏｔｈ（登録商標）プロトコルなどの短距離無線周波数（ＲＦ）通信プロトコルを使用して、無線リンクを介して通信する。したがって、検知装置２４内の無線通信インタフェースによって送信される信号は、受信機３０がインターネットなどの公共広域通信網３２を介して転送するデータパケットを含んでもよい。
【００２７】
サーバ３６は、公共広域通信網３２を介して無線受信機３０によって中継されたデータを受信し、養魚水槽２２内の水の特性を分析するため受信したデータを処理する。サーバ３６は、この分析に基づいて水質の報告を、養魚水槽２２のオペレータによって使用される固定または移動コンピューティング装置（例えば、スマートフォン）のようなクライアント装置３４に発行する。これらの報告は、典型的には、養魚水槽内の水の特性、例えば温度または化学的特性または恐らくは魚の動きのような画像に基づく特性が、所定の正常範囲から逸脱し、したがって、養魚水槽内の魚に有害な水の状態を示す場合にサーバ３６により発せられる警報を含む。クライアント装置３４上で警報を受信すると、養魚水槽２２のオペレータは、直ちに養魚水槽の装置に必要な調整を行うか、必要に応じて養魚水槽内の水を交換することができる。
【００２８】
追加的または代替的に、サーバ３６は、図３を参照して以下に記載するように、複数の異なる養魚水槽または他の水槽内の検知装置から受信したデータを照合する。更に追加的または代替的に、クライアント装置３４は、サーバ３６の介在なしに受信機３０からデータを受信してもよい。この場合、クライアント装置３４上で動作するアプリケーションがデータを分析し、オペレータに所望の報告及び警報を提供する。
【００２９】
図２は、本発明の一実施形態に基づく、検知装置２４の機能的構成要素を概略的に示すブロック図である。先に説明したように、検知装置２４のセンサ２８は、水質の遠隔測定モニタリングに使用されるパラメータを検知する。「水質」という用語は、この文脈および特許請求の範囲においては、任意のそして全ての水の、ならびに水中の近くの物体の特性を含んで広く理解されるべきである。従って、センサ２８は、例えば、水温；ｐＨ、塩分、酸素、および／または他の化学的パラメータ；近くの運動および／または振動；および／または濁度を感知してもよい。追加的または代替的に、画像センサ２６によって取り込まれた画像を分析して、水の濁度および他の光学的品質を導出するとともに、魚の存在（または不在）および特に存在する魚の動きまたは不活動を検出してもよい。これらの目的のために、画像センサ２６は、可視光または赤外光、またはその両方を受光し、検出してもよい。
【００３０】
養魚水槽２２内の水の波、振動または他の運動を検出するために、検知装置２４は、通常、水中の音波および／または超音波を検出するためのマイクロホンとして構成された音響変換器４６を備える。追加的または代替的に、検知装置２４は、加速度計または他の慣性センサ（一般に「ジャイロ」と呼ばれる）などの運動センサ４８を備え、検知装置の運動、従って検知装置がその中で浮遊する水の運動を示す出力を生成する。
【００３１】
さらに、センサ２８は、空気の品質、温度、および気圧センサ（図示せず）を含んでもよい。このようなセンサは、典型的には、図１に示すように、検知装置の下側ではなく、上側に取り付けられる。これらのセンサは、水槽のオペレータにローカルな情報を提供すること、および、公共広域通信網３２を介して送信するため、広域にわたる複数の場所から気象関連情報を収集すること、の両方において有用である。
【００３２】
検知装置２４の機能は、典型的には、検知装置２４の他の構成要素への接続のための適切なインタフェースを備えた単一チップ構成要素である、コントローラ４０によって制御され調整される。コントローラ４０および図１に示す他の構成要素の少なくともいくつかは、典型的には、容器２５内の剛性または可撓性のプリント回路基板（図示せず）上に搭載される。
【００３３】
コントローラ４０は、例えば、容器２５の内部または表面のいずれかに配置されたアンテナ４４に接続された、Ｗｉ−ＦｉまたはＢｌｕｅｔｏｏｔｈ（登録商標）インタフェースなどの無線通信インタフェース４２を介して、受信機３０と通信する。メモリ５２は、（ＲＯＭおよび／またはフラッシュメモリなどの）不揮発性メモリ、および場合によっては揮発性メモリ（ＲＡＭなど）を有し、コントローラ４０によって実行されるプログラムコード５４、およびコントローラによってセンサ２６，２８，４６，４８，．．より収集されるデータ５６を保管する。典型的には、コントローラ４０は、データを運ぶデジタル信号を、無線インタフェース４２を介して受信機３０に送信する前に（コントローラによる処理の有無にかかわらず）、センサの出力をデジタル化し、前処理し、処理することさえできる。デジタル信号は、データパケットの形式を有し、そして検知装置２４は、それ自体のインターネットプロトコル（ＩＰ）および／または他のネットワークアドレスを有し、それにより受信機３０が検知装置２４とサーバ３６との間でパケットを直接転送することができる。あるいは、通信インタフェース４２は、センサ出力をアナログ形式で送信するように構成されてもよい。
【００３４】
いくつかの実施形態では、検知装置２４は、１つ以上の発光ダイオード（ＬＥＤ）５０または他の光源を含む。例えば、検知装置２４は、画像センサ２６による画像化および水質検知を目的として、光を水中に投射するために使用される異なる色の複数のＬＥＤ５０を含むことができる。追加的または代替的に、音響変換器４６は、魚による運動を刺激するための音または他の振動を発するスピーカとして構成されてもよい。
【００３５】
さらに追加的または代替的に、検知装置２４は、ＧＰＳ受信機（図示せず）などの位置センサを備えてもよい。位置センサの出力は、以下に説明するように、地理的領域にわたる大規模モニタリングの目的で検知装置２４の現在位置を追跡するために使用することができる。
【００３６】
コントローラ４０および検出装置２４の他の構成要素は、一般に少なくとも数日間の連続動作のために十分な電荷を保持するバッテリ５８によって給電される。バッテリ５８は、無線誘導充電回路などの充電回路６０を介して充電可能であってもよい。代替的または追加的に、バッテリ５８は、数ヶ月または数年間（特に画像検知が必要でない場合）装置２４を作動させるのに十分なエネルギーを蓄える一次バッテリであってもよい。バッテリが切れた場合、検知装置２４を開けてバッテリを交換してもよい。または検知装置全体を交換してもよい。バッテリ５８の寿命を延ばすために、検知装置２４の構成要素は、検知装置２４が水中にあることをセンサ２８が検出した場合にのみスイッチを入れ、その後は定期的に、内部クロックまたはサーバ３６からのトリガのいずれかによる起動時にスイッチが入る。
【００３７】
図３は、本発明の一実施形態による電子式データ収集および処理のためのシステム７０の絵画的概略図である。システム７０は、広い地理的領域にわたる異なる場所に分散した水槽に配置され、その中で浮遊する水の特性を検知するように構成された検知装置２４によって送信された情報を収集して処理する。この例の検出装置２４は、養魚水槽２２の他に、住宅または商業ビルに属する飲料水用の水槽７２のような他の種類の水槽に配備される。
【００３８】
サーバ７４は、受信機３０を介して検知装置２４によって送信された情報を受信して処理する。サーバ７４は、通常、検知装置２４と通信するための公共広域通信網３２への適切なインタフェース７６を有するプロセッサ７８と、メモリを有する汎用コンピュータからなる。プロセッサ７８は、光学的、磁気的、または電子的記憶媒体のような有形の非一過性コンピュータ可読媒体に典型的に格納される、ソフトウェアの制御下で本明細書に記載される機能を実行する。サーバ７４は、センサ出力を分析し、養魚水槽２２および／または飲料水用水槽７２のそれぞれのオペレータに警告を発行すること、などの上述したサーバ３６の機能、ならびに、以下に説明するような、広域の地理的領域に亘る巨視的現象を分析および検出する機能を実行する。
【００３９】
サーバ７４は、巨視的モニタリングの目的のために、システム７０内の検知装置２４からの様々な異なる種類のデータを使用する。例えば、サーバ７４は、温度および気圧測定値などの天気関連データだけでなく、検知装置２４によって送信された振動および／または他の運動関連データを使用してもよい。サーバ７４はまた、ＧＰＳベースまたは他の位置データのような、他の種類のデータを検知装置２４から受信してもよい。サーバ７４は、異なる地点の多数の検知装置２４と互いに関係する、地震の震動および／または天候の変化などの巨視的現象をマップするために、センサ出力を位置データと関連付ける。これに基づいて、サーバ７４は、対象となる巨視的現象に関連する特性が所定の正常範囲から逸脱したとき、例えば水槽内の波の活動の増加が地震が差し迫っている可能性があることを示しているとき、または気圧の低下が嵐が起ころうとしている可能性を示すとき、警報を発することができる。代替的または追加的に、サーバ７４は、天気予報又は地震学的研究のために、検知結果の照合された報告を提供することができる。
【００４０】
上述の実施形態は例として引用されたものであり、本発明は、上記に特に示され記載されたものに限定されないことが理解されよう。むしろ、本発明の範囲は、上述した様々な特徴の組み合わせおよび部分的な組み合わせ、ならびに前述の説明を読むことによって当業者に想起できる、従来技術にない変化形および修正形の両方を含む。
【図１】
2018506108.tif 000003
【図２】
2018506108.tif 000004
【図３】
2018506108.tif 000005
【国際調査報告】
2018506108.tif 000006
2018506108.tif 000007